(57)【要約】      （修正有）【課題】構造が簡単で低価格、多機能な多功能健身器材を提供する。【解決手段】被覆布１、メインフレーム２、コーナー体４、スポンジ管５、手動プレス支持棒６、サポート棒７、引張板８を含む。被覆布１はメインフレーム２を包み込み、メインフレーム２の二つの角部にはそれぞれコーナー体４を設け、手動プレス支持棒６の下端はそれぞれコーナー４体上にヒンジ接合し、スポンジ管５を手動プレス支持棒６の上部に嵌着し、サポート棒７の下端はそれぞれコーナー体４上に連結し、引張８の両端はそれぞれ手動プレス支持棒６の中央部とサポート棒７の上部に連結する。手動プレス支持棒６、サポート棒７、引張板８は一つの三角形受力機構を構成し、ゴム材料で製作した引張板を組み合わせて受力を実現し、足で踏む器具、手で握る器具、仰臥板、うつ伏せとなって身体を支える器具等の健康器具として使用できる。【選択図】図１
0003185009.tif 000002
【実用新案登録請求の範囲】
【請求項１】
被覆布と、メインフレームと、コーナー体と、スポンジ管と、二つの手動プレス支持棒と、二つのサポート棒と、弾性を備えた二つの引張板とを含む多功能健身器材において、
前記被覆布は、前記メインフレームを包み込み、前記メインフレームの後方側面の二つの角部にはそれぞれ前記コーナー体を設け、
前記二つの手動プレス支持棒の下端はそれぞれ二つのコーナー体上にヒンジ接合し、前記スポンジ管を手動プレス支持棒の上部に嵌着し、
前記二つのサポート棒の下端はそれぞれ二つのコーナー体上に連結し、引張板の両端はそれぞれ手動プレス支持棒の中央部とサポート棒の上部に連結し、手動プレス支持棒、サポート棒、引張板によって一つの三角形受力機構を構成することを特徴とする多功能健身器材。
【請求項２】
前記サポート棒の下端はボルトでコーナー体上にヒンジ接合し、且つヒンジ接合点の上方にはプル体を可動状態で貫設することを特徴とする請求項１に記載の多功能健身器材。
【請求項３】
前記手動プレス支持棒はL形の構成要素であって、動作棒とプレス棒とで構成され、前記プレス棒は垂直に動作棒の上端に固着し、動作棒の下端はボルトによってコーナー体上にヒンジ接合し、スポンジ管をプレス棒上に嵌着し、動作棒上には引張板に連接する二つ以上の連接孔を設け、前記引張板の一端は回転つまみで動作棒に連結することを特徴とする請求項１に記載の多功能健身器材。
【請求項４】
前記引張板のもう一端はプラスチック蓋、把持部ボール、ネジでサポート棒の上部に固定することを特徴とする請求項３に記載の多功能健身器材。
【考案の詳細な説明】
【技術分野】
【０００１】
本考案は、健康器具であり、特に多機能健康器具に関する。
【背景技術】
【０００２】
時代の進歩に従って生活が十分豊かになり衣食に事欠かない時代では肥満症が増加する。この肥満がもたらす後遺症も例えば高血圧、心臓病等多岐にわたり、多くの若者は贅肉が身体中にある自分を受け入れられない。よって、市場には多くのダイエットや身体を鍛える器具が出現し、特に腹部を鍛える為の器具が現れた。だが、この器具の機能は唯一つであるのが殆どで、更に多くの機能を備えた健康器具では高価になり、一般のサラリーマンが負担できるものではない。
【先行技術文献】
【特許文献】
【０００３】
【特許文献１】なし
【考案の概要】
【考案が解決しようとする課題】
【０００４】
本考案の目的は構造が簡単で、低価格の多機能健康器具を提供することにある。
【課題を解決するための手段】
【０００５】
上述の目的を実現するために本考案の採用する技術解決手段は次の通りである。
【０００６】
本考案の多機能健康器具は、被覆布、メインフレーム、コーナー体、スポンジ管、二つの手動プレス支持棒、二つのサポート棒、弾性を備えた二つの引張板を含む。前記被覆布は、メインフレームを包み込み、メインフレームの後方側面の二つの角部にはそれぞれコーナー体を設ける。二つの手動プレス支持棒の下端はそれぞれ二つのコーナー体上にヒンジ接合し、スポンジ管を手動プレス支持棒の上部に嵌着し、二つのサポート棒の下端はそれぞれ二つのコーナー体上に連結し、引張板の両端はそれぞれ手動プレス支持棒の中央部とサポート棒の上部に連結し、手動プレス支持棒、サポート棒、引張板によって一つの三角形受力機構を構成する。
【０００７】
前記サポート棒の下端はボルトでコーナー体上にヒンジ接合し、尚且つヒンジ接合点の上方にはプル体を可動状態で貫通する。
【０００８】
前記手動プレス支持棒はL形の構成要素であり、それは動作棒とプレス棒とで構成される。前記プレス棒は垂直に動作棒の上端に固着し、動作棒の下端はボルトによってコーナー体上にヒンジ接合し、スポンジ管をプレス棒上に嵌着し、動作棒上には引張板に連接する二つ以上の連接孔を設ける。前記引張板の一端は回転つまみで動作棒に連結する。
【０００９】
前記引張板のもう一端はプラスチック蓋、把持部ボール、ネジでサポート棒の上部に固定する。
【考案の効果】
【００１０】
前述の手段を採用した本考案は主に、被覆布、コーナー体、スポンジ管、手動プレス支持棒、サポート棒、引張板等により構成され、手動プレス支持棒、サポート棒、引張板によって一つの三角形受力機構を構成する。ゴム材料で製作した引張板を組み合わせて受力を実現し、足で踏む器具、手で握る器具、仰臥板、うつ伏せとなって身体を支える器具等の健康器具として使用でき、機能も多種に渡り、使用者には使用上での多くの選択を与えることができる。よって、本考案は構造が簡単で、低価格という長所を備える。
【図面の簡単な説明】
【００１１】
【図１】本考案の軸側図である。
【図２】図１のＩ箇所の立体分解図である。
【図３】本考案の折り畳み後の軸側面図である。
【図４】本考案の被覆布の展開図である。
【図５】本考案の被覆布でメインフレームを包み込んだ後の軸側面図である。
【図６】本考案をペダルとして使用した状態を示す図である。
【図７】本考案を手で掴んで使用した状態を示す図である。
【図８】本考案を仰臥板として使用した状態を示す図である。
【図９】本考案をうつ伏せの身体を支えるのに使用した状態を示す図である。
【考案を実施するための形態】
【００１２】
以下に、図面を参照しながら、本考案を実施するための最良の形態について詳述する。
【００１３】
図1に示すとおり、本考案は多機能健康器具であり、それは下記の構成要素を含む。図4及び図5に示すとおり、被覆布3はメインフレーム2を包み込み、メインフレーム2の後方側面の二つの角部にはそれぞれコーナー体4を設ける。
【００１４】
図1及び図2に示すとおり、前記手動プレス支持棒6はL形の構成要素であり、それは動作棒61とプレス棒62とで構成される。前記プレス棒62は垂直に動作棒61の上端に固着し、動作棒61の下端はボルト91によってコーナー体4上にヒンジ接合し、スポンジ管5をプレス棒62上に嵌着し、動作棒61上には引張板8に連接する三つの連接孔611を設ける。前記引張板8の一端には動作棒61の連接孔611に貫通する回転つまみ9を動作棒61上に連結し、動作棒61上の異なる連接孔611に貫通する回転つまみ9を調節することにより、便利に手動プレス支持棒6の動作圧力を調整できる。前記二つの手動プレス支持棒6は相対設置し、尚且つその下端はそれぞれ二つのコーナー体4上にヒンジ接合する。
【００１５】
前記サポート棒7の下端はボルト91でコーナー体4上にヒンジ接合し、ヒンジ接合点の上方にはプル体3を可動状態で貫通する。該プル体3とボルト91を係合させてサポート棒7の下端をコーナー体4上に固定し、該プル体3はまた引き抜くことも可能であり、サポート棒7は折り畳み收納した後、メインフレーム2に近づく（図3参照）。二つのサポート棒7は相対設置し、尚且つその下端はそれぞれ二つのコーナー体4上に連結する。
【００１６】
前記引張板8は弾性を備えたゴム材料で製作し、引張板8の一端は回転つまみで手動プレス支持棒6の中央部に連結し、引張板8のもう一端はプラスチック蓋11、把持部ボール12、ネジ13でサポート棒7の上部に固定する。前記手動プレス支持棒6、サポート棒7、引張板8によって一つの三角形受力機構が構成される。
【００１７】
図6は本考案をペダルとして使用した状態を示す図である。使用者は椅子に座り、足で手動プレス支持棒6のプレス棒62（図2参照）上に嵌着したスポンジ管5を踏んで身体を鍛える。
【００１８】
図7は本考案を手で掴んで使用した状態を示す図である。使用者はメインフレーム2上に跪き、手で手動プレス支持棒6のプレス棒62（図2参照）上に嵌着したスポンジ管5を握って身体を鍛える。
【００１９】
図8は本考案を仰臥板として使用した状態を示す図である。使用者はメインフレーム2上に座り、背中を手動プレス支持棒6のプレス棒62（図2参照）上に嵌着した二つのスポンジ管5に凭れかけて身体を鍛える。
【００２０】
図9は本考案をうつ伏せの身体を支えるのに使用した状態を示す図である。使用者は床面にうつ伏せになり、腹部で手動プレス支持棒6のプレス棒62（図2参照）上に嵌着したスポンジ管5を圧して身体を鍛える。
【００２１】
前述は本考案の好ましい実施例を説明しただけであり、本考案の実施範囲に制約を加えるものではない。よって、本考案の実用新案登録請求の範囲及び説明書の内容に基づいて為された同等効果を有する変化や修飾は全て、本実用新案が包含する範囲内に属するものとする。
【符号の説明】
【００２２】
1：被覆布
11：プラスチック蓋
12：把持部ボール
13：ネジ
2：メインフレーム
3：プル体
4：コーナー体
5：スポンジ管
6：手動プレス支持棒
61：動作棒
611：連接孔
62：プレス棒
7：サポート棒
8：引張板
9：回転つまみ
91：ボルト
【図１】
0003185009.tif 000003
【図２】
0003185009.tif 000004
【図３】
0003185009.tif 000005
【図４】
0003185009.tif 000006
【図５】
0003185009.tif 000007
【図６】
0003185009.tif 000008
【図７】
0003185009.tif 000009
【図８】
0003185009.tif 000010
【図９】
0003185009.tif 000011